(57)【要約】【課題】壁仕上げ後に壁の奥行方向に調節が可能な機構を設けることにより、容易に位置調節ができ、据付作業性の改善及び据付誤差を小さくするエレベータの点検ボックス装置を提供する。【解決手段】エレベータが設置された建屋のエレベータホールの壁面に設けられ、エレベータの保守点検時に操作されるエレベータの点検ボックス装置であって、壁面内に据え付けられ、エレベータホール側に開口部を有するホールメンテナンスボックスと、ホールメンテナンスボックス内に収納され、エレベータを点検する際に操作する操作機器と、壁面とほぼ面一となるようにホールメンテナンスボックスの前面の開口部に脱着可能に設けられ、表面にはエレベータの移動状況等を表示する表示部が設けられたフェースプレートとを備え、ホールメンテナンスボックスは、箱型形状の外ボックスとこの外ボックス内に収容される中枠を有し、中枠が、壁面から奥行方向にスライド調節可能である。【選択図】図２
2013154986.tif 000002
【特許請求の範囲】
【請求項１】
エレベータが設置された建屋のエレベータホールの壁面に設けられ、エレベータの保守点検時に操作されるエレベータの点検ボックス装置であって、
前記壁面内に据え付けられ、前記エレベータホール側に開口部を有するホールメンテナンスボックスと、
前記ホールメンテナンスボックス内に収納され、前記エレベータを点検する際に操作する操作機器と、
前記壁面とほぼ面一となるように前記ホールメンテナンスボックスの前面の開口部に脱着可能に設けられ、表面には前記エレベータの移動状況等を表示する表示部が設けられたフェースプレートとを備え、
前記ホールメンテナンスボックスは、箱型形状の外ボックスとこの外ボックス内に収容される中枠を有し、
前記中枠が、前記壁面から奥行方向にスライド調節可能であるエレベータの点検ボックス装置。
【請求項２】
前記壁面の仕上げ後に、前記壁面仕上げ面と前記中枠の端面が面一になるように、前記中枠の端面をスライド調節可能である請求項１記載のエレベータの点検ボックス装置。
【請求項３】
前記フェースプレートに設けられるホールインジケータボタンを、前記壁面の仕上げ面に密着させる請求項１又は請求項２記載のエレベータの点検ボックス装置。
【請求項４】
前記外ボックスの内側には、前記中枠を取り付けるための外ボックス台座が設けられ、前記中枠の底端部には、前記中枠を前記外ボックス台座に載せるための中枠台座が設けられている請求項１記載のエレベータの点検ボックス装置。
【請求項５】
前記外ボックス台座には貫通穴が形成され、この貫通穴に対向してＵナットが取り付けられている請求項４記載のエレベータの点検ボックス装置。
【請求項６】
前記中枠台座には、ネジ穴と貫通穴が形成され、前記ネジ穴に対向してＵナットが取り付けられている請求項４記載のエレベータの点検ボックス装置。
【請求項７】
前記中枠は、ジャッキボルトを用いて前記壁の奥行方向に調節可能である請求項５又は請求項６記載のエレベータの点検ボックス装置。
【請求項８】
前記中枠を前記壁の奥行方向に調節後、固定用ネジを用いて前記中枠を前記外ボックスに固定する請求項７記載のエレベータの点検ボックス装置。
【請求項９】
前記固定用ネジは、前記外ボックスに取り付けたＵナットにねじ込む請求項８記載のエレベータの点検ボックス装置。
【請求項１０】
前記外ボックスは、細長い箱型形状で、短手方向の側面には、矩形の切欠きが形成されている請求項１乃至請求項９のいずれか１項に記載のエレベータの点検ボックス装置。
【発明の詳細な説明】
【技術分野】
【０００１】
本発明の実施形態は、エレベータの点検ボックス装置に関する。
【背景技術】
【０００２】
建屋の最上階のエレベータホールの壁面に点検ボックス装置を設け、エレベータの保守点検時にその点検ボックス装置の操作機器を作業員が操作してエレベータの動作等を手動で制御しながら点検の作業を進めることができるシステムが採用されている。 
点検ボックス装置は、エレベータホールの壁面内に据え付けられたホールメンテナンスボックスと、このホールメンテナンスボックス内に収納された操作機器としての回路基板類やその操作用のボタン類（ホールインジケータボタン等）と、ホールメンテナンスボックスの前面の開口部にホール壁面とほぼ面一にかつ脱着可能に取り付けられたフェースプレートとで構成されている。 
エレベータの保守点検の際には、まずホール壁面からフェースプレートを取り外してホールメンテナンスボックスの開口部を開放する。そしてフェースプレートのかご呼びボタンを操作してエレベータの乗りかごをそのエレベータホールに着床させ、またエレベータ出入口のドア装置を開放し、この状態のもとでホールメンテナンスボックス内の操作機器を操作して乗りかごの動作等を確認しながら点検作業を進める。 
エレベータの据付時に、建物の乗場側の壁に取付け用の穴をあけ、その穴にホールメンテナンスボックスが取り付けられる。ホールメンテナンスボックスは、壁仕上げ前に取り付けられ、外壁仕上げ後にホールインジケータボタンを取り付ける構成となっている。ホールインジケータボタンは、外壁の厚さにかかわらず、仕上げ面に密着させる必要があり、ホールインジケータボタン取り付けネジなどで、仕上げ面に密着させる調整を行っていた。
【０００３】
しかし、例えばタイル仕上げなどの場合、コンクリート面と仕上げ面に15ｍｍ程度の差が生じることがある。壁仕上げの厚さが一定ではないため、従来の構造では、外壁を仕上げる前にホールメンテナンスボックス取付の位置決めを行っているため、外ボックス端面と壁仕上げ面を面一に調整することが困難であった。
【先行技術文献】
【特許文献】
【０００４】
【特許文献１】特開２００５−２４７５７０号公報
【特許文献２】特開２００８−１５０１２４号公報
【発明の概要】
【発明が解決しようとする課題】
【０００５】
本発明が解決しようとする課題は、壁仕上げ後に壁の奥行方向に調節が可能な機構を設けることにより、容易に位置調節ができ、据付作業性の改善及び据付誤差を小さくするエレベータの点検ボックス装置を提供することである。
【課題を解決するための手段】
【０００６】
実施形態のエレベータの点検ボックス装置は、エレベータが設置された建屋のエレベータホールの壁面に設けられ、エレベータの保守点検時に操作されるエレベータの点検ボックス装置であって、前記壁面内に据え付けられ、前記エレベータホール側に開口部を有するホールメンテナンスボックスと、前記ホールメンテナンスボックス内に収納され、前記エレベータを点検する際に操作する操作機器と、前記壁面とほぼ面一となるように前記ホールメンテナンスボックスの前面の開口部に脱着可能に設けられ、表面には前記エレベータの移動状況等を表示する表示部が設けられたフェースプレートを備え、前記ホールメンテナンスボックスは、箱型形状の外ボックスとこの外ボックス内に収容される中枠を有し、前記中枠が、前記壁面から奥行方向にスライド調節可能である。
【図面の簡単な説明】
【０００７】
【図１】建屋の最上階のエレベータホールの外観図である。
【図２】本実施形態に係るエレベータの点検ボックス装置におけるホールメンテナンスボックスの外観図である。
【図３】中枠の外ボックスへの取り付けレベルの調整方法を示した図である。
【発明を実施するための形態】
【０００８】
以下、本発明の一実施の形態について、図面を参照して説明する。尚、各図において同一箇所については同一の符号を付すとともに、重複した説明は省略する。
【０００９】
図１は、建屋の最上階のエレベータホールの外観図である。この建屋には、互いに隣り合って左右に並列する複数のエレベータが設置されている。各エレベータに対するそれぞれの出入口１が、エレベータホールの壁面２に設けられている。なお、３はエレベータ出入口１を開閉するドア装置である。
【００１０】
エレベータホールの壁面２には、互に隣り合う出入口１の相互間に位置して点検ボックス装置５ が設けられている。この点検ボックス装置４は、ホールメンテナンスボックス５を備え、ホールメンテナンスボックス５はエレベータホールの壁面２内に据え付けられている。
【００１１】
ホールメンテナンスボックス５内には、エレベータホールから見た左側のエレベータに対する操作機器と右側のエレベータに対する操作機器（いずれも図示せず）とが分かれて収納されている。各操作機器は、それぞれ回路基板類や操作ボタン類からなる。
【００１２】
また、ホールメンテナンスボックス５の前面の開口部には、壁面２とほぼ面一をなすように脱着可能にフェースプレート６が設けられている。フェースプレート６は、板ばねやビス等による係止部材（ 図示せず）を介して、ホールメンテナンスボックス５に脱着可能に取り付けられている。フェースプレート６の表面には、左右両側の双方のエレベータに対して共通するかご呼びボタン７とその双方のエレベータにそれぞれ対応する二つのデジタル表示式の表示部８ａ、８ｂとが設けられている。尚、かご呼びボタン７や表示部８ａ、８ｂを総称して、ホールインジケータボタン等という。
【００１３】
図２は、本実施形態に係るエレベータの点検ボックス装置４におけるホールメンテナンスボックス５の外観図である。点検ボックス装置４は、主としてホールメンテナンスボックス５と、このホールメンテナンスボックス５内に収納された操作機器としての回路基板類やその操作用のボタン類（ホールインジケータボタン等）と、フェースプレート６とで構成されている。
【００１４】
図２に示すように、本実施形態では、ホールメンテナンスボックス５は、外ボックス９と、この外ボックス９に収容される中枠１０とから構成されている。
【００１５】
外ボックス９は、細長い箱型形状で、短手方向の側面には、矩形の切欠きが形成されている。外ボックス９は、例えば、鋼板で製作することができる。
【００１６】
外ボックス９の内側には、収容する中枠１０を取り付けるため、外ボックス台座９ａが設けられている。外ボックス台座９ａには、２個の貫通穴９ｂが形成されている。貫通穴９ｂの径は、後述する固定用ネジのネジ部は通り抜けるが、ネジ頭は通らない径に設定する。
【００１７】
外ボックス台座９ａの裏面、すなわち、中枠１０との反対側には、各貫通穴と対向してウェルドタイプのＵナット１１が取り付けられている。Ｕナット１１は、それ自体に緩み防止構造を持っている。
【００１８】
中枠１０も、細長い枠体形状で、中枠１０の長手方向と中枠１０の短手方向とでは、短手方向の片が長手方向の片に比べて、壁面２側に突き出ている。中枠１０は、例えば、鋼板で製作することができる。
【００１９】
中枠１０の短手方向の底端部には、中枠１０を外ボックス台座９ａに載せるため、２個の中枠台座１０ａが設けられている。各中枠台座１０ａには、ネジを通す為の３つの穴１０ｂが形成されている。３つの穴１０ｂのうち、中央部はジャッキボルト１２用のネジ穴で、両サイドの穴は固定用ネジ１３を通すための貫通穴となっている。ネジ穴に対向してウェルドタイプのＵナット１１が取り付けられている。ジャッキボルト１２は、中枠１０の外ボックス台座９ａへの取り付けレベルを調整するものである。固定用ネジ１３は、外ボックス台座９ａに取り付けたＵナット１１にねじ込まれる。
【００２０】
中枠１０は、２本の固定用ネジ１３と１本のジャッキボルト１２によって片側の中枠台座１０ａを外ボックス台座９ａに固定し、両側で合計６本のネジで外ボックス台座９ａに固定し、これらのネジにより位置決めを行う構成となっている。
【００２１】
次に、以上のように構成されたホールメンテナンスボックス５の取り付け方法について説明する。図３は、中枠１０の外ボックス９への取り付けレベルの調整方法を示した図である。
【００２２】
まず、エレベータホールのコンクリート製の壁面２に、外ボックス９を埋め込むため穴を設ける。次に、外ボックス９をコンクリート壁面２に施工後、中枠１０を外ボックス９の中に入れる（図３（１）参照)。
【００２３】
中枠１０には中枠台座１０ａが設けられており、この中枠台座１０ａにはネジを通す為の３つの穴が開いている。中央部はネジ穴になっており、ジャッキボルト１２を中央のネジ穴に通すと、ジャッキボルト１２は外ボックス９に設けた外ボックス台座９ａに当たる。ジャッキボルト１２の捻じ込み量によって中枠１０の位置を外ボックス９の奥行方向に調節することができる。（図３（２）参照）。
【００２４】
中枠１０のエッジ部１０ｃを、仕上げ加工した壁面２と面一になるようにジャッキボルト１２の締め込み量を調節した後、固定用ネジ１３を中枠台座１０ａの左右に空いた穴に通し（図３（３）参照)、外ボックス台座９ａに設けたＵナット１１で締め込むことで、中枠１０と外ボックス９を締結する（図３（４）参照)。
【００２５】
外ボックス台座９ａに設けられたウェルドタイプのＵナット１１は、それ自体に緩み防止構造を持っており、ネジが緩んでホールインジケータボタン類がガタつくのを抑制することができる。また、固定用ネジ１３及びジャッキボルト１２の長さを変更することで、調整範囲の拡大が可能となる。
【００２６】
本実施形態によれば、壁仕上げ後に前後調節ができる機構を設けることにより、容易に位置調節ができ、据付作業性の改善及び据付誤差を小さくすることができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１・・・エレベータ出入口
２・・・壁面
３・・・ドア装置
４・・・点検ボックス装置
５・・・ホールメンテナンスボックス
６・・・フェースプレート
７・・・かご呼びボタン
８ａ、８ｂ・・・表示部
９・・・外ボックス
９ａ・・・外ボックス台座
１０・・・中枠
１０ａ・・・中枠台座
１０ｃ・・・エッジ
１１・・・Ｕナット
１２・・・ジャッキボルト
１３・・・固定用ネジ
【図１】
2013154986.tif 000003
【図２】
2013154986.tif 000004
【図３】
2013154986.tif 000005